(57)【特許請求の範囲】
【請求項１】
電源電力を複数の床暖房用電気ヒータへそれぞれ導く複数のヒータ通電系と、
前記ヒータ通電系にそれぞれ設けられ、前記電気ヒータへの通電をそれぞれ接・断する複数の常開式のリレー装置と、
異常温度を感知すると溶断する単一の温度ヒューズと、
前記単一の温度ヒューズを通して各リレー装置へ駆動用の電力を供給する給電系と、
前記各リレー装置の接・断動作を制御する制御部と、
を有することを特徴とする床暖房用コントローラ装置。
【請求項２】
前記ヒータ通電系は、電源電力を入力する電源端子部と、同電源端子部から入力された電力を床暖房用電気ヒータへ出力するヒータ端子部とを有し、
前記給電系は、前記電源端子部から出力される電力を所定の電圧に変えて前記各リレー装置へ供給する電源回路部を有して構成され、
前記単一の温度ヒューズは、前記電源端子部から前記電源回路部へ電力を導く経路に組み込まれる
ことを特徴とする請求項１に記載の床暖房用コントローラ装置。
【請求項３】
前記ヒータ通電系は、電源電力を入力する電源端子部と、同電源端子部から入力された電力を床暖房用電気ヒータへ出力するヒータ端子部とを有し、
前記給電系は、前記電源端子から出力される電力を所定の電圧に変える電源回路部と、前記電源回路部から、共通の共用通電部および各リレー装置毎の分岐通電部を経て、各リレー装置へ駆動用の電力を導くリレー用通電部とを有し、
前記単一の温度ヒューズは、前記リレー用通電部の共用通電部に組み込まれる
ことを特徴とする請求項１に記載の床暖房用コントローラ装置。
【請求項４】
前記ヒータ通電系は、電源電力を入力する電源端子部と、同電源端子部から入力された電力を床暖房用電気ヒータへ出力するヒータ端子部とを有し、
前記給電系は、前記電源端子から出力される電力を所定の電力に変えて前記各リレー装置へ供給する電源回路部と、前記電源回路部から出力される電力を前記制御部へ導く制御部用通電部とを有し、
前記制御部は、前記制御部用通電部を通して供給される電力により駆動されるものであり、
前記単一の温度ヒューズは、前記制御部用通電部に組み込まれる
ことを特徴とする請求項１に記載の床暖房用コントローラ装置。
【請求項５】
前記単一の温度ヒューズは、前記電源端子部、前記複数のヒータ端子部および前記複数のリレー装置のうちのいずれか１つ以上が過熱することにより溶断される
ことを特徴とする請求項２ないし請求項４のいずれか一つに記載の床暖房用コントローラ装置。
【発明の詳細な説明】
【技術分野】
【０００１】
本発明は、過熱防止用の温度ヒューズを有する床暖房用コントローラ装置に関する。
【背景技術】
【０００２】
近年、一戸建てやマンションの住宅において、複数の部屋を床暖房する場合や、床面積の大きい部屋を床暖房する場合においては、それぞれの部屋の床下、あるいは大きい部屋をいくつかのゾーンに分けたうえで、各部屋の床下にそれぞれ床暖房用電気ヒータを設けて、それぞれ床暖房することが行われるようになった。
こうした床暖房に用いられる床暖房用コントローラ装置は、通常、それぞれ部屋毎やゾーン毎に設置されるが、近年では、コストの低減化を図るために、隣接する複数のゾーンの場合、その隣接する床暖房用電気ヒータのレイアウトを活用して、１台の床暖房用コントローラ装置で、複数の床暖房用電気ヒータの運転を独立して制御することが進められている。
【０００３】
一般的にこのような床暖房用コントローラ装置には、コントローラ本体に、電源電力を複数の床暖房用電気ヒータへそれぞれ導く複数のヒータ通電系を設け、これらヒータ通電系に、それぞれ床暖房用電気ヒータへの通電を接・断する常開式のリレー装置を設け、これらリレー装置の接・断動作を制御部で制御する構造が用いられる。
ところで、床暖房用コントローラ装置は、高電圧の電力を床暖房用電気ヒータへ通電させるために、部品の劣化や部品の接触不良などを要因とした過熱が発生するおそれがある。
【０００４】
そこで、従来から、１チャンネルの床暖房用コントローラ装置、すなわち１つの床暖房用電気ヒータを制御する床暖房用コントローラ装置では、特許文献１に開示されているようにヒータ通電系に温度ヒューズを設けている。つまり、安全性を確保するため、リレー装置など部品の過熱などにより内部が異常な温度に上昇すると、コントローラ装置内の温度ヒューズが溶断し、床暖房用電気ヒータへの通電を断つようにしてある。
【特許文献１】特開平１０−３８２９８号公報
【発明の開示】
【発明が解決しようとする課題】
【０００５】
ところが、このようなヒータ通電系毎に温度ヒューズを設ける構造は、複数の床暖房用電気ヒータを１台で制御する複数チャンネルの床暖房用コントローラ装置においては、かなりの負担となる。
すなわち、複数の床暖房用電気ヒータを１台で制御する複数チャンネルの床暖房用コントローラ装置は、コストの低減やコンパクト性の向上を図るために開発されたものである。
【０００６】
ところが、特許文献１に示す１チャンネルのコントローラ装置のようにヒータ通電系に温度ヒューズを設けて安全性を得る技術は、複数の床暖房用電気ヒータを１台のコントローラ装置で制御する複数チャンネル式のコントローラ装置へ適用する場合、同装置の複数のヒータ通電系毎にそれぞれ温度ヒューズを設けないと、複数の床暖房用電気ヒータの通電を断つことはできない。つまり、床暖房用電気ヒータの通電を断つためには、温度ヒューズは、床暖房用電気ヒータと同数だけ必要となる。
【０００７】
これでは、複数チャンネルのコントローラ装置の場合、複数個の温度ヒューズを取り付けるためにコスト的な負担が強いられる。しかも、複数個の温度ヒューズを据付けるためのスペースも確保することも強いられ、目標となっているコスト低減やコンパクト性の向上が損なわれてしまう。このため、複数チャンネルのコントローラ装置に適した通電切断の技術が求められている。
【０００８】
そこで、本発明の目的は、単一の温度ヒューズで、独立して制御される複数の床暖房用電気ヒータへの通電が断てる床暖房用コントローラ装置を提供することにある。
【課題を解決するための手段】
【０００９】
請求項１に記載の発明は、上記目的を達成するために、電源電力を複数の床暖房用電気ヒータへそれぞれ導く複数のヒータ通電系にそれぞれ常開式のリレー装置を設けた床暖房用コントローラ装置では、単一の温度ヒューズを通して各リレー装置へ駆動用の電力を供給する給電系を採用した。
同構成により、コントローラ装置内部にて異常な温度への上昇が生じると、温度ヒューズが溶断し、各リレー装置への通電を断ち、各床暖房用電気ヒータへの通電を止める。これにより、温度ヒューズを複数個据付けずにすむ。
【００１０】
請求項２に記載の発明は、さらに簡単な構造で温度ヒューズの据付けがすむよう、温度ヒューズは、各リレー装置へ駆動用の電力を供給する給電系のうち、電源電力を入力する電源端子部から電源回路部へ電力を導く経路に組み込む構成を採用した。
請求項３に記載の発明は、同じく、温度ヒューズは、電源回路から各リレー装置へ駆動用の電力を供給する給電系のリレー用通電部のうち、共用通電部に組み込む構成を採用した。
【００１１】
請求項４に記載の発明は、同じく、各リレー装置へ駆動用の電力を供給する給電系は、リレー装置へ供給する電源回路部から出力される電力を、制御部用通電部を通して、制御部へ駆動用として導く構造を備えたものとし、このうちの制御部用通電部に温度ヒューズを組み込む構成を採用した。
請求項５に記載の発明は、さらに単一の温度ヒューズが効果的に反応するよう、単一の温度ヒューズは、電源端子部、複数のヒータ端子部および複数のリレー装置のうちのいずれか１つ以上が過熱すると、溶断されるようにした。
【発明の効果】
【００１２】
請求項１の発明によれば、１台で複数の床暖房用電気ヒータを制御するコントローラ装置は、単一の温度ヒューズを設けるだけで、過熱発生時、複数の床暖房用電気ヒータへの通電を断つことができる。
したがって、コントロール装置は、床暖房用電気ヒータと同数の温度ヒューズは必要とせずにすみ、同装置のコストの低減を図ることができる。しかも、当該温度ヒューズを据付けるためのスペースも最小限ですみ、同装置のコンパクト性も図ることができる。
【００１３】
請求項２〜４の発明によれば、簡単な温度ヒューズの据付けで、単一の温度ヒューズによる過熱防止が実現できる。
請求項５の発明によれば、さらに単一の温度ヒューズは、過熱するおそれの有る、電源端子部（例えば接触不良が原因で過熱）、複数のヒータ端子部（例えば接触不良が原因で過熱）および複数のリレー装置（例えば劣化が原因で過熱）といった多くの各部品の過熱に対して効果的に作動できる。
【発明を実施するための最良の形態】
【００１４】
以下、本発明を図１〜図４に示す第１の実施形態にもとづいて説明する。
図１は、一般の住宅で利用される住宅機器、例えば、例えばひと続きのリビングルームαとダイニングルームβ（隣接する２つのゾーン）とを床暖房する複数の電気パネルを用いた床暖房装置を示している。
同床暖房装置は、リビングルームαの床下に設置された床暖房用電気ヒータであるパネルヒータ１と、ダイニングルームβの床下に設置された床暖房用電気ヒータであるパネルヒータ２と、左右のルームα，βの境界の壁部３に据付けた１台の床暖房用のコントローラ装置５（本願の床暖房用コントローラ装置に相当）とから構成されている。
【００１５】
コントローラ装置５には、例えば、１台で、リビングルームαとダイニングルームβとの両方（複数）の床暖房制御が行える２チャンネル型が用いられている。図２には、このコントローラ装置５の側断面図が示され、図３には、このコントローラ装置５を分解した斜視図が示され、図４には、このコントローラ装置５の制御ブロック図が示されている。
このコントローラ装置５には、コントローラ本体８に、パネルヒータ１（リビングルームα側）やパネルヒータ２（ダイニングルームβ側）の運転を制御する各種制御機器を組み込んだ構造が用いられている。
【００１６】
具体的には、図１〜図３に示されるようにコントローラ本体８は、例えば、壁部３の内部に埋め込まれる箱形のハウジング部６と、壁部３の壁面に沿って配置される表面パネル部７とから構成されている。なお、表面パネル部７は、ハウジング部６の前方端に形成されているフランジ部６ａに脱着可能に組み付けられる。
ハウジング部６内の奥側には、図２および図３に示されるように電源ボード１１が収められ、開口側には表示ボード３０が据付けられている。このうち電源ボード１１には、図４に示されるパネルヒータ１用（リビングルームα用）とパネルヒータ２用（ダイニングルームβ用）といった２系統（複数）のヒータ通電系ａ，ｂが搭載されている。
【００１７】
これらヒータ通電系ａ，ｂは、例えば、電源ボード１１の背面の上段に設置された２個の電源端子台１２ａ，１２ｂ（本願の電源端子部に相当）と、同様に電源ボード１１の背面の下段に設置された２個（複数）のヒータ端子台１３ａ，１３ｂ（本願のヒータ端子部に相当）との間を接続ライン１４ａ、１４ｂで個別に接続して構成される。このうち電源端子台１２ａ，１２ｂには、図１に示されるように電源となる家庭用の個別のブレーカ（図示しない）から延びる２系統の電源ケーブル１５ａ，１５ｂ（市中電源）が接続される。またヒータ端子台１３ａ，１３ｂには、パネルヒータ１（リビングルームα）やパネルヒータ２（ダイニングルームβ）から延びるヒータケーブル１６ａ，１６ｂが接続され、電源端子台１２ａ，１２ｂから入力された電源電力が、ヒータ端子台１３ａ，１３ｂから、それぞれパネルヒータ１，２へ出力されるようにしている。
【００１８】
電源ボード１１の板面、例えば電源ボード１１の前面中央の周りには、図２および図３に示されるように４個（複数）の常開式のリレー装置１７ａ，１７ｂ，１８ａ，１８ｂが点在して設置されている。これらリレー装置１７ａ，１７ｂ，１８ａ、１８ｂが、２系統のヒータ通電系ａ，ｂにそれぞれ２個ずつ組み込まれている。なお、リレー装置１７ａ，１７ｂやリレー装置１８ａ，１８ｂは、いずれも同じ構造なので、図４の制御ブロック図には、分りやすくするために、片側のリレー装置１７ａやリレー装置１８ａを主に示した簡略化（リレー装置１７ｂ、リレー装置１８ｂを省略）した図が用いてある。
【００１９】
具体的にはリレー装置１７ａ，１７ｂ，１８ａ，１８ｂは、いずれも図４に示されるようにリレーコイル１９、同リレーコイル１９を駆動するリレー駆動回路２０、常時は開放しリレーコイル１９が駆動されると閉じるリレー接点２１を組み合わせて構成される。このうちリレー装置１７ａ，１７ｂのリレー接点２１は、ヒータ通電系統ａの各接続ライン１４ａ中にそれぞれ接続される（片側しか図示せず）。またリレー装置１８ａ，１８ｂのリレー接点２１は、ヒータ通電系統ｂの各接続ライン１４ｂ中にそれぞれ接続され（片側しか図示せず）、各リレー接点２１の開閉動作により、それぞれヒータパネル１，２への通電がつながったり遮断されたりするようにしてある（接・断）。
【００２０】
また電源ボード１１には、図２および図３に示されるように各種機器へ駆動用の電力を供給する給電系２３が搭載されている。図４に示されるように給電系２３は、片側、例えば電源端子台１２ａから出力される電源電力（交流）を所定電圧の直流電力に変えて出力する電源回路部２５や各種通電部を組み合わせて構成されている。具体的には電源回路部２５は、図示はしないが変圧器部と整流部とを組み合わせた構造が用いられている。この電源回路部２５の出力部からは、図４に示されるようにリレー用通電部２６が延びている。このリレー用通電部２６は、入力側が共通の共用通電部２６ａで形成され、出力側が各リレー駆動回路２０毎に分岐した分岐通電部２６ｂで形成される。そして、共用通電部２６ａが電源回路２５に至り、分岐通電部２６ｂが各リレー駆動回路２０に接続され、電源回路部２５と各リレー装置１７ａ，１７ｂ，１８ａ，１８ｂ間を並列につないでいる。つまり、電源回路部２５で出力される電力が、リレー駆動用として各リレー装置１７ａ，１７ｂ，１８ａ、１８ｂへ供給される構造にしている。また共用通電部２６ａからは、分岐通路部２６ｂと共に、制御部用通電部２７も分岐されている。
【００２１】
一方、図２および図３に示されるように表示ボード３０は、例えば前面上部に液晶表示式の表示モジュール部３１が搭載され、同表示モジュール部３１の下側に、ＣＰＵやその周辺回路で形成される制御部３２や、室温センサ（図示しない）や、複数のキーオンオフスイッチ部３３ａ〜３３ｊなどが搭載されている。なお、室温センサ（図示しない）や、複数のキーオンオフスイッチ部３３ａ〜３３ｊは制御部３２に接続されるものである。また制御部３２の電源入力部には、図４に示されるように上記制御部用通電部２７の出力側が接続され、電源回路部２５から出力される電力が、制御部３２の駆動用電力として、制御部３２へ供給されるようにしている。なお、表示ボード２０の前面側は、図２および図３に示されるように透視カバー３５で覆ってある。
【００２２】
このうち表示モジュール部３１の液晶表示面と向き合う透視カバー部分は、図２および図３に示されるように表面パネル部７の上段部分に形成された表示窓３５に臨んでいる。キーオンオフスイッチ部３３ａ〜３３ｊの押ノブ部３４は、いずれも透視カバー部分を貫通して、表面パネル部７の前面に形成されているキー操作面７ａに導かれ、表示窓３５と共に、２チャンネル（リビングルームα，ダイニングルームβ）の床暖房運転に求められる操作部３７を形成している。具体的には、床温度を調整する温度設定操作キー部４１ａ，４１ｂや床暖房運転をオンオフする運転操作キー部４２ａ，４２ｂや、タイマー床暖房運転をオンオフするタイマー運転操作キー部４３ａ、４３ｂや、タイマー時刻設定を行うためのタイマー設定操作キー部４４や、時刻の調整を行うための時計操作キー部４５などを形成している。なお、表示ボード２０と電源ボード１１との間は、コネクタ部３８（図２および図３に図示）で電気的に接続してある。
【００２３】
こうした２チャンネル型のコントローラ装置５において、図４に示されるように給電系２３には、装置内部で異常温度を感知すると全てのリレー装置１７ａ，１７ｂ，１８ａ、１８ｂへの通電を断つように、１個、すなわち単一の温度ヒューズ４０が組み込まれている。具体的には、温度ヒューズ４０は、給電系２３のうち、例えば電源端子台１２ａから電源回路部２５へ至る接続ライン２３ａ中に組み込まれている。このような単一の温度ヒューズ４０を通して各リレー装置１７ａ，１７ｂ，１８ａ、１８ｂへ駆動用の電力を供給する給電系２３により、温度ヒューズ４０が溶断すると、全ての常開式リレー装置１７ａ，１７ｂ，１８ａ，１８ｂへの通電を断ち、当該全リレー装置１７ａ，１７ｂ，１８ａ，１８ｂが一度に開放（開）されるようにしている。
【００２４】
また温度ヒューズ４０は、コントローラ装置５内部において過熱が迅速に感知できるよう、それぞれ電源端子台１２ａ，１２ｂやヒータ端子台１３ａ，１３ｂやリレー装置１７ａ，１７ｂ，１８ａ、１８ｂと接近した位置に据付けられている。具体的には温度ヒューズ４０は、例えば図２および図３に示されるような電源端子台１２ａ，１２ｂやヒータ端子台１３ａ，１３ｂやリレー装置１７ａ，１７ｂ，１８ａ、１８ｂで取り囲まれる電源ボード１１の前面中央部分に設置され、過熱を生じやすい各部品に対してそれぞれ接近するレイアウトで取り付けている。これで、温度ヒューズ４０は、電源端子台１２ａ，１２ｂやヒータ端子台１３ａ，１３ｂやリレー装置１７ａ，１７ｂ，１８ａ、１８ｂのうちの１つ以上が過熱すると、その熱を受けて溶断するようにしてある。特に温度ヒューズ４０は、上側に配置されているリレー装置１７ａ側へ寄せて当該リレー装置１７ａの近くに配置してあり、上側のリレー装置１７ａの過熱でも溶断が生じやすい構造にしてある（上側のリレー装置１７ａの熱は、上方へ向かって逃げるため）。
【００２５】
つぎに作用について説明する。
このように構成されたコントローラ装置８は、例えばリビングルームα側に配置されている運転操作キー部４２ａをオン操作すれば、電源電力が、ヒータ通電系ａを通じて、リビングルームαの床下に配置されているパネルヒータ１へ供給される。そして、制御部３２の制御により、設定された床暖房温度にしたがい、リレー装置１７ａ，１７ｂが開閉制御される。このパネルヒータ１の通電制御により、リビングルームαが、設定された暖房温度に床暖房される。むろん、ダイニングルームβを床暖房すれば、同様に、制御部３２によるパネルヒータ１の通電制御により、リビングルームαが、設定された暖房温度に床暖房される。
【００２６】
こうした２チャンネルのコントローラ装置８において、今、例えばリレー装置１７ａ（あるいはリレー装置１７ｂ）やリレー装置１８ａ（あるいはリレー装置１８ｂ）が劣化により、過熱したり、あるいは電源端子台１２ａ（あるいは電源端子台１２ｂ）やヒータ端子台１３ａ（あるいはヒータ端子台１３ｂ）がケーブルとの接触不良により過熱したとする。
【００２７】
すると、コントローラ装置８の内部は、異常に温度上昇する。
温度ヒューズ４０は、この異常温度を感知して溶断を起こす。このとき、給電系２３は、温度ヒューズ４０を通して各リレー装置１７ａ，１７ｂ，１８ａ、１８ｂへ駆動用の電力を導く構造であるから、１個、すなわち単一の温度ヒューズ４０が溶断するだけで、全てのリレー装置１７，１７ｂ、１８ａ，１８ｂへの通電が断たれる。これにより、一度に全てのリレー装置１７ａ，１７ｂ，１８ａ、１８ｂが開放（オフ）される（常開式のため）。
【００２８】
それ故、全てのパネルヒータ、すなわちリビングルームαを床暖房するパネルヒータ１及びダイニングルームβを床暖房するパネルヒータ２の通電は断たれる。
しかるに、１チャンネルのコントローラ装置をパネルヒータと同数設け、それによりパネルヒータと同数の温度ヒューズを備える手法とは異なり、パネルヒータ１，２と同数の温度ヒューズ４０は必要とせずに、１個だけで（単一）、複数のパネルヒータ１，２への通電を断つことができる。つまり、１個の温度ヒューズ４０だけで、過熱を原因とした障害（パネルヒータが通電し続けることや、端子台が損なわれることなど）が回避され、安全性が確保できる。
【００２９】
したがって、複数チャンネルのコントローラ装置８の温度ヒューズ４０は、パネルヒータの数量に関わらず、最少の１個でよく、温度ヒューズ４０の据付けに費やすコストの低減を図ることができる。しかも、温度ヒューズ４０を据付けるスペースも最小限でよく、コントローラ装置８のコンパクト性も図れ、複数チャンネルのコントローラ装置８に大きく貢献する。
【００３０】
特に温度ヒューズ４０は、過熱の発生するおそれのある、電源端子台１２ａ，１２ｂ、ヒータ端子台１３ａ，１３ｂおよびリレー装置１７ａ、１７ｂ、１８ａ，１８ｂのいずれに対しても接近する地点に配置したので、各部品の過熱に対し、すばやく反応でき、電源端子台１２ａ，１２ｂ、ヒータ端子台１３ａ，１３ｂおよびリレー装置１７ａ、１７ｂ、１８ａ，１８ｂのうちのいずれか１つ以上の過熱でも、単一の温度ヒューズ４０で、効果的に過熱防止の対処ができる。しかも、温度ヒューズ４０の周りに、電源端子台１２ａ，１２ｂ、ヒータ端子台１３ａ，１３ｂおよびリレー装置１７ａ、１７ｂ、１８ａ，１８ｂを配置する場合、温度ヒューズ４０は、上側に配置されている部品に対して、特に接近するように配置すると、熱の上昇特性に留意した溶断ができ、一層、高い安全性を確保することができる。
【００３１】
そのうえ、過熱防止構造は、リレー装置駆動用の電力を供給する給電系２３のうち、電源端子台１２ａから電源回路部２５へ至る経路中に温度ヒューズ４０を組み込んで、同温度ヒューズ４０を通してリレー装置１７ａ、１７ｂ、１８ａ，１８ｂへ駆動用の電力を供給すればよく、簡単な温度ヒューズ４０の据付けで、コントローラ装置８やパネルヒータ１，２の過熱を防ぐことができる。
【００３２】
図５は、本発明の第２の実施形態を示す。
本実施形態は、第１の実施形態のような電源端子台から電源回路へ至る経路に温度ヒューズ４０を組み込んだのではなく、給電系２３のうち、リレー通電部２６を構成する入力側の共用通電部２６ａに、温度ヒューズ４０を組み込んだものである。
こうした簡単な温度ヒューズ４０の据付けでも、第１の実施形態と同様、１個の温度ヒューズ４０が溶断すると、リレー装置１７ａ，１７ｂ，１８ａ、１８ｂへの通電を断つことができる。
【００３３】
図６は、本発明の第３の実施形態を示す。
本実施形態は、第２の実施形態の変形例で、給電系２３のうち、電源回路部２５から駆動用制御部３２へ駆動用の電力を導く制御部用通電部２７に、温度ヒューズ４０を組み込んだものである。
駆動用制御部３２は、制御部用通電部２７を通して供給される電力により駆動されるものであるから、こうした簡単な温度ヒューズ４０の据付けでも、１個の温度ヒューズ４０が溶断すると、制御部３２への電力供給の遮断から、制御部３２自体の機能が停止して、全てのリレー装置１７ａ，１７ｂ，１８ａ、１８ｂを開放させることができる。
【００３４】
但し、図５および図６において、第１の実施形態と同一部分には、同一符号を付してその説明を省略した。
なお、本発明は上述したいずれの実施形態に限定されるものではなく、本発明の主旨を逸脱しない範囲内で種々変更して実施しても構わない。例えば上述した実施形態では、２つのパネルヒータを１台で制御する２チャンネルのコントローラ装置を挙げたが、これに限らず、３つのパネルヒータや３つ以上のパネルヒータを１台で制御するような複数チャンネルのコントローラ装置に本発明を適用しても構わない。
【００３５】
また、上述した実施形態では便宜上、コントローラ装置は１チャンネル毎に１台のパネルヒータを制御するものとして記述したが、例えば複数台のパネルヒータを直列または並列に、コントローラ装置における同一のヒータ端子に接続し、１チャンネル分の制御によって複数台のパネルヒータを制御するよう構成してもよいことは言うまでもない。
【図面の簡単な説明】
【００３６】
【図１】本発明の第１の実施形態に係る２チャンネル（複数チャンネル）のコントローラ装置の外観を示す斜視図。
【図２】同コントローラ装置の側断面図。
【図３】同コントローラ装置の分解斜視図。
【図４】同コントローラ装置の制御系を示すブロック図。
【図５】本発明の第２の実施形態の要部となる２チャンネルのコントローラ装置の制御系を示すブロック図。
【図６】本発明の第３の実施形態の要部となる２チャンネルのコントローラ装置の制御系を示すブロック図。
【符号の説明】
【００３７】
１，２  パネルヒータ（床暖房用電気ヒータ）
５  コントローラ装置
８  コントローラ本体
１１  電源ボード
１２ａ，１２ｂ  電源端子台（電源端子部）
１３ａ，１３ｂ  ヒータ端子台（ヒータ端子部）
１７ａ，１７ｂ，１８ａ，１８ｂ  リレー装置
２３  給電系
２５  電源回路部
２６  リレー用通電部
２６ａ  共用通電部
２６ｂ  分岐通路部
２７  制御部用通電部
３２  制御部
４０  温度ヒューズ
ａ，ｂ  ヒータ通電系
【図１】
0005081652.tif 000002
【図２】
0005081652.tif 000003
【図３】
0005081652.tif 000004
【図４】
0005081652.tif 000005
【図５】
0005081652.tif 000006
【図６】
0005081652.tif 000007